(57)【特許請求の範囲】
【請求項１】
車両の荷台に載置され灯油を移動配送するタイプの給油装置において、
車両コード・担当者コード・複数の単位油量当たりの単価を記憶した着脱可能なＩＣカードと、該ＩＣカードの読み取り及びＩＣカードへの書き込みを行うリーダ・ライタ装置と、前記ＩＣカードに記憶された車両コードと予め記憶された車両コードとを比較して一致すれば給油装置を使用可能とするメインボードと、前記ＩＣカードに記憶された複数の単位油量当たりの単価から一つの単価を選択する単価選択手段と、該単価選択手段により選択された単価での給油量を蓄積する車載メモリと、該車載メモリに蓄積された各単価毎の給油量データを前記ＩＣカードに書き込み指示する給油書き込みスイッチとを備えたことを特徴とする給油装置。
【請求項２】
車両の荷台に載置され灯油を移動配送するタイプの給油装置において、車両コード・担当者コード・複数の単位油量当たりの単価を記憶した着脱可能なＩＣカードと、該ＩＣカードの読み取り及びＩＣカードへの書き込みを行うリーダ・ライタ装置と、前記ＩＣカードに記憶された車両コードと予め記憶された車両コードとを比較して一致すれば給油装置を使用可能とするメインボードと、複数の単価音声データを記憶した着脱可能なＳＲＡＭカードと、該ＳＲＡＭカードの読み取りを行うリーダ装置と、前記ＩＣカードに記憶された複数の単位油量当たりの単価から一つの単価を選択する単価選択手段と、該単価選択手段により選択された単価に対応する単価音声データを前記ＳＲＡＭカードから選択して発声する単価発声装置と、前記単価選択手段により選択された単価で給油された給油量を蓄積する車載メモリと、該車載メモリに蓄積された各単価毎の給油量データを前記ＩＣカードに書き込み指示する給油書き込みスイッチとを備えたことを特徴とする給油装置。
【発明の詳細な説明】
【０００１】
【産業上の利用分野】
この発明は、灯油などの燃料をローリーにて顧客先へ運搬し、小分けして販売する給油装置に関する。
【０００２】
【従来の技術】
従来は燃料油配送所などにおいて、稼働していないローリーから燃料油が盗まれるのを防止するため、配送終了後などに担当者などがノズルホルダーから給油ノズルが外されないように鍵を掛けたりしていた。
また、住宅街などに出向き、顧客が持参してくるポリタンクに灯油等の燃料油を小分けして販売する場合においては、現地へ到着後、〇〇燃料が販売に来たこと、今日の単価はいくらであるかなどをマイクとスピーカーを使用して周辺の顧客に知らせたり、或いは予め何種類かの単価を録音しておいた複数のエンドレステープの中からその地域で使用するテープを選択してスピーカーから流したりして集まってきた顧客に対し燃料油を販売していた。
【０００３】
【発明が解決しようとする課題】
しかしながら、担当者が鍵をかけるのを忘れるというミスを完全に防止することはできず、盗難を避けることはできなかった。
また、燃料油を小分け販売する場合、販売担当者自身がマイクとスピーカーを使用したりテープを流す方法では、顧客に担当者に都合のよい単価を知らせ、配送所で指定された単価より高い単価で販売することが可能であり、このような方法で販売した差額は担当者の不正な利益となってしまっていた。
【０００４】
【課題を解決するための手段】
よって第１の発明は、車両の荷台に載置され灯油を移動配送するタイプの給油装置において、車両コード・担当者コード・複数の単位油量当たりの単価を記憶した着脱可能なＩＣカードと、該ＩＣカードの読み取り及びＩＣカードへの書き込みを行うリーダ・ライタ装置と、前記ＩＣカードに記憶された車両コードと予め記憶された車両コードとを比較して一致すれば給油装置を使用可能とするメインボードと、前記ＩＣカードに記憶された複数の単位油量当たりの単価から一つの単価を選択する単価選択手段と、該単価選択手段により選択された単価での給油量を蓄積する車載メモリと、該車載メモリに蓄積された各単価毎の給油量データを前記ＩＣカードに書き込み指示する給油書き込みスイッチとを備えたことを特徴とする給油装置を提供することを要旨とするものである。
第２の発明は、車両の荷台に載置され灯油を移動配送するタイプの給油装置において、車両コード・担当者コード・複数の単位油量当たりの単価を記憶した着脱可能なＩＣカードと、該ＩＣカードの読み取り及びＩＣカードへの書き込みを行うリーダ・ライタ装置と、前記ＩＣカードに記憶された車両コードと予め記憶された車両コードとを比較して一致すれば給油装置を使用可能とするメインボードと、複数の単価音声データを記憶した着脱可能なＳＲＡＭカードと、該ＳＲＡＭカードの読み取りを行うリーダ装置と、前記ＩＣカードに記憶された複数の単位油量当たりの単価から一つの単価を選択する単価選択手段と、該単価選択手段により選択された単価に対応する単価音声データを前記ＳＲＡＭカードから選択して発声する単価発声装置と、前記単価選択手段により選択された単価で給油された給油量を蓄積する車載メモリと、該車載メモリに蓄積された各単価毎の給油量データを前記ＩＣカードに書き込み指示する給油書き込みスイッチとを備えたことを特徴とする給油装置を提供することを要旨とするものである。
【０００５】
【作用】
以上により、複数のローリーを持つ配送所などで、責任者がホストコンピュータにて予め着脱可能な第一記憶媒体に、車両毎に決められた車両コード、販売担当者毎に決められた担当者コード、複数の単価を記憶させ、第二記憶媒体に前記第一記憶媒体に記憶させた単価に対応する単価音声データを記憶させる。配送担当者はそれぞれの記憶媒体を受け取り、配送先へ出向き、現地到着後、記憶媒体を給油装置にセットする。すると、給油装置は車両コードを読み取り、給油可能となる。また、販売担当者は第一記憶媒体に記憶された単価の中からその場所での適切な単価を単価を選択すると、単価表示器に単価が表示されると共に、第二記憶媒体に記憶された選択された単価に対応する単価音声データがピックアップされて発声装置から発声される。顧客はその声を聞き、油を売りに来たことを知り、ローリーまでポリタンク等を持参して所望の量を給油してもらう。よって、顧客は耳でも目でも単価を確認できる。さらに、販売担当者が配送終了後、配送所へ戻ったときには、第一記憶媒体には担当者コードと単価毎の給油量が記憶されており、配送所の責任者は第一記憶媒体からそれらのデータをホストコンピュータで集計できる。これにより販売担当者による不正が防止できる。
【０００６】
【実施例】
以下、その実施例について図面を基に説明する。図１は本発明の一実施例である給油装置、所謂ローリーの全体構成図で、１は灯油を貯蔵するタンク、２はポンプ、３は流量計、４はパルス発信器、５は給油許可手段たるノーマルクローズの電磁弁、６はホースリール、７は給油ノズル、８は給油管路である。
【０００７】
９はメインボードで、配送担当者が操作し易い位置、ここでは図２に示すように車両最後部に設けられているものである。メインボード９の表面操作部には、電源スイッチ、運転スイッチ、各モードを設定するための各種スイッチ類１０と、現在給油量や積算給油量等の給油情報を表示する給油量表示器１１とが設けてある。また、内部には給油量データなどを記憶しておくための車載メモリを搭載したマイクロコンピュータ等からなる制御装置が装備されており、ポンプ２の駆動停止を行ったり、パルス発信器４からのパルス信号を受け取り、給油量を給油量表示器１１に表示させたり、必要に応じ電磁弁５を開けたりするようになっている。
【０００８】
１２は単価選択手段、１３は単価選択手段１２に通信ケーブルで接続されたＩＣカード等の非接触型媒体（第一記憶媒体）１４の読み取り・書き込みを行うためのリーダ・ライタ装置で、どちらも車両の助手席等に設けられており、販売担当者が車室内に居るままで操作ができるようになっている。単価選択手段１２の表面操作部には、電源スイッチ１５、音声出力スイッチ１６、給油量を書き込み指示する給油量書き込みスイッチ１７、単価選択スイッチ１８、単価決定スイッチ１９と、単価選択表示器２０とが設けてある。また内部にはＳＲＡＭカード等の比較的記憶容量の大きい接触型媒体（第二記憶媒体）２１の読み取りを行うためのリーダ装置２２や、各スイッチ類からの入力信号を処理するためのマイクロコンピュータや第二記憶媒体２１のデータを記憶するための車載メモリ等が装備されている。
【０００９】
ところで、第一記憶媒体１４を非接触型としたのは、リーダ・ライタ装置１３に少なくとも１日一回以上のアクセスをする必要があり、接触型だと接触耐久回数に問題があるためである。また、第二記憶媒体２１を比較的記憶容量の大きい接触型としたのは、記憶させるデータがデータ量の大きな音声データであり、その音声データの内容を変更するのは原油価格などが変動した場合などに限定され、一旦車載メモリに記憶させておけば暫くの間はリーダ装置２２とアクセスしなくても済むからである。さらに、ＩＣカードのような非接触型の記憶媒体では読み取り、書き込みの耐久回数が比較的少ないため、読み込み、書き込み回数を極力減らすべく、給油量書き込みスイッチを別途設け、メインボードの車載メモリに記憶した給油量データを随時自動的に第一記憶媒体に書き込ませるのではなく、最低限必要な時のみに書き込みを行うように限定してある。
【００１０】
２３は、音声アンプ２４とスピーカ２５からなる単価発声装置で、スピーカは車両客室上部に固定している。また、２６は単位油量例えば１８リットル（大概のポリタンク容量である）当たりの灯油価格を単価として表示するための単価表示装置で、図２に示すように、顧客が見易いようにローリー後部上方に設けてある。
【００１１】
以下、実施例の動作について説明する。
【００１２】
配送所では、まず責任者が事務所にあるホストコンピュータで、複数ある第一記憶媒体１４にそれぞれ車両コード、担当者コード、複数の単位流量あたりの単価を、第二記憶媒体２１に複数の単価（第一記憶媒体に記憶させた単価と対応するかそれ以上の数）音声データやその他必要なアナウンス音声データをそれぞれ記憶させる。
【００１３】
その作業が終了したら、責任者は事前に第二記憶媒体２１を持って車両に向かい、単価選択手段１２の電源スイッチ１５をオンし、第二記憶媒体２１をリーダ装置２２に差し込む。続いて音声出力スイッチ１６を押すと、第二記憶媒体２１に記憶された音声データが単価選択手段１２の車載メモリにダウンロードされる。責任者はこの作業を必要な車両台数だけ行う。
【００１４】
次に責任者は事務所に待機している販売担当者に、それぞれ対応する第一記憶媒体１４を渡し、当日の販売場所、各販売場所での単価、及び乗車する車両を指示する。販売担当者はその第一記憶媒体１４を持って、指示された車両で現地へ向かう。
【００１５】
現地に到着したら販売担当者は、単価選択手段１２及びメインボード９の電源スイッチを押し、第一記憶媒体１４をリーダ・ライタ装置１３にかける。リーダライタ装置１３で読み取られた車両コードは、予めメインボード９の車載メモリに記憶されている車両コードと一致しているかを比較し、一致していれば電磁弁５を開とし、給油を許可する。また、第一記憶媒体１４から読み取られた複数の単価は、一旦単価選択手段１２の車載メモリに記憶され、単価選択スイッチ１８により順次表示されていくので、その場での単価を選択し、単価決定スイッチ１９で決定する。決定された単価は単価表示装置２６にも表示される。さらに顧客に灯油を販売しに来たことを知らせるため、音声出力スイッチ１６を押すと、記憶された音声データの中から決定した単価に対応する音声データが選択され、そのデータ信号が音声アンプ２４により増幅され、スピーカー２５より例えば「○○燃料です。本日は灯油１８リットルを５４０円で販売にまいりましたので、どうぞお越し下さい。」とアナウンスされる。
【００１６】
顧客はこのアナウンスを聞き、ポリタンクを持参して灯油を買い求めに来る。そして、販売担当者はメインボード９の運転スイッチを押し、顧客の所望する量の灯油を給油販売していく。その間の販売した油量は今回選択した単価に対応して随時単価選択手段１２の車載メモリに記憶される。その場所での販売が終了したら、販売担当者は別の販売場所へ向かい（移動時は第一記憶媒体１４は別の場所に保管しておく）、その場所での単価を設定して灯油を販売する。
【００１７】
このようにして、予定していた販売が終了すると、販売担当者は、配送所に戻った時点で、単価選択手段１２の電源スイッチ１５をオンし、第一記憶媒体１４をリーダ・ライタ装置１３にかけ、給油量書き込みスイッチ１７をオンする。すると、第一記憶媒体１４に、単価選択手段１２の車載メモリに記憶されている今回の単価毎の給油量がダウンロードされるので、ダウンロードが終了したら、第一記憶媒体１４を配送所責任者に手渡す。受け取った責任者はホストコンピュータで第一記憶媒体１４に記憶された担当者コードと単価毎の給油量を読み取り、自動的に集計ソフトなどにデータが入力されるようにしておけば、当日の売上状況が把握できる。
【００１８】
なお、前記では給油許可手段を電磁弁としたが、例えば給油ノズルのホルダーに電磁ソレノイド式のロック装置を取り付ける方法でもよく、いずれにしろ、適正な車両コードが格納された第一記憶媒体が給油装置にアクセスされて初めて給油を許可するものであれば、この限りではない。
【００１９】
【発明の効果】
以上説明したとおり、本発明によると、適正な車両コードが格納された第一記憶媒体が給油装置にアクセスされないと、給油ができる状態とならないので、配送所以外の人間が勝手に給油装置から油を盗み取ることを確実に防止できる。
また、単価を顧客の見易い位置にある表示装置に表示させたり、音声により知らせるようにしたので、顧客は安心して取引できる。
また、第一記憶媒体には、給油終了後、単価毎の給油量が記憶され、配送責任者がそれを確認することができるので、配送担当者が勝手な単価で販売することができなくなり、配送担当者による不正行為を防止することができる。
また、第二記憶媒体に音声データを格納するようにしたので、各車両毎に音声を録音したテープを用意する必要がなくなり、経費の削減が図れる。
また、選択した単価が単価表示器に表示されると共に、その単価に対応する音声データが自動選択出力されるので、表示と音声が異なることがなくなる。
【図面の簡単な説明】
【図１】本発明の一実施例である給油装置の全体構成図である。
【図２】本発明の一実施例であるローリーの背面図である。
【符号の説明】
５  電磁弁
９  メインボード
１２  単価選択手段
１３  リーダ・ライタ装置
１４  第一記憶媒体
１７  給油量書き込みスイッチ
２１  第二記憶媒体
２２  リーダ装置
２３  単価発声装置
２６  単価表示装置
【図１】
0004351364.tif 000002
【図２】
0004351364.tif 000003